(57)【要約】　　　（修正有）【課題】飛散する溶断火花や溶断ノロ等を耐熱製の袋体に受け入れることで火災や人身災害を防止できるとともに、袋体設置に際して設置の方法の自由度、設置の際の袋体の開口面積および開口角度の自由度を確保して使い勝手を向上させることができる溶断・溶接防火カバーを提供する。【解決手段】枠部１６とこの枠部１６に設ける耐熱製の袋体１７からなり、枠部１６は全体が水平状態からくの字に折れ曲がる屈折機構２０を有し、耐熱製の袋体１７は開口付近を枠部１６がスライド自在に貫通するように枠部１６に取り付き、また、枠部１６に係止手段として吸着用の磁石２１と吊り材の双方または何れか一方を取り付けた。【選択図】　　　　図４
2004114082.tif 000002
【特許請求の範囲】
【請求項１】
枠部とこの枠部に設ける耐熱製の袋体からなり、全体が水平状態からくの字に折れ曲がる屈折機構を有し、袋体は開口付近を枠部がスライド自在に貫通するように枠部に取り付き、また、枠部に係止手段として吸着用の磁石と吊り材の双方または何れか一方を取り付けたことを特徴とする溶断・溶接防火カバー。
【請求項２】
枠部は、枠径を拡大または縮小できる伸縮機構を有する請求項１記載の溶断・溶接防火カバー。
【請求項３】
袋体は、開口縁部付近を枠部よりも上に臨ませる請求項１または請求項２記載の溶断・溶接防火カバー。
【請求項４】
袋体は、内側底部を着脱自在な耐熱製布片で覆う請求項１ないし請求項３のいずれかに記載の溶断・溶接防火カバー。
【発明の詳細な説明】
【０００１】
【発明の属する技術分野】
本発明は、鉄部材等の金属部材を溶断する場合に発生する溶断火花や溶断ノロ等の飛散を防止する、また、溶接する場合においても溶接火花の飛散を防止する溶断・溶接防火カバーに関するものである。
【０００２】
【従来の技術】
例えば、建設現場での鉄筋、鉄骨の溶断作業など、防火装置が完備している専門工場以外の場所で鋼鉄その他の金属部材を溶断する場合、溶断火花や溶断ノロ等の飛散は、下方作業員の災害および下方にある可燃物の火災等極めて危険である。
【０００３】
そこで、溶断火花や溶断ノロ等の飛散処置を行うことが必要とされ、従来は、防火シートを床に敷いたり、スクリーン状に張設したりしているが、作業箇所が移動するのに対応するには比較的広範囲に設置しなければならず、極めて大掛かりな設備となってしまう。
【０００４】
これに対して、分解して持ち運びに便利であると共に現場で簡単に組立ができるものとして、溶接火花養生架台１が下記公開公報に提案されている。
【０００５】
【特許文献１】
特開平８−３３９８４号公報
【０００６】
これは、図１１に示すように、複数の孔１０を有する複数の変形Ｓ字状縦桟２と、複数の孔を有する横桟３，４と、複数の孔を有する枠板部６により両端を固定され、且つ前記変形Ｓ字状縦桟２に緊結する複数の孔を有する耐熱シ−ト５とからなり、前記変形Ｓ字状縦桟２の孔１０と前記横桟３，４の孔にボルト９等を挿入緊結すると共に、前記枠板部６の孔および耐熱シ−ト５の孔と前記変形Ｓ字状縦桟２の孔１０にボルト９等を挿入緊結するものである。図中、７は止め金具、８は線、１１は溶接火花受部を示す。
【０００７】
変形Ｓ字状縦桟２、横桟３，４および枠板部６付きの耐熱シ−ト５には予めボルト９或は蝶ねじ等を用いて緊結できる孔が開けられているため、簡単に組み立てることができる。組み立てられた溶接火花養生架台１は、溶接火花受部１１が前面になるようにして、安全のため張られている線８（ロ−プ等）に吊り下げて使用するが、この場合、変形Ｓ字状縦桟２を用いているため、ほぼ垂直に吊り下げることができる。
【０００８】
飛散する溶接火花は耐熱シ−ト５の垂直面および平面部に当たるが、外部に突抜けることはなく、下部の溶接火花受部１１に溜る。このため火花が落下して下方にいる人への災害または下方の物品の火災等を防止できる。また、本溶接火花養生架台１はきわめて軽量にできているため、高所における取扱および持運びに便利である。更に、縦桟の一部に外れ止め用の止め金具７を設けているため、高所作業でしかも強風の場合においても溶接火花養生架台１が線８より外れて落下することがなく、安全である。
【０００９】
また、火花が分散する前に、防火布袋に火花を集積し、火災を防止するために考案された物として、下記のアーク溶接ガス切断等における磁石付き火花養生袋がある。
【００１０】
【特許文献２】
特開平９−２７１９５１号公報
【００１１】
これは、図１２、図１３に示すように、耐火性の枠１３に防火布袋１２を設け、耐火性の枠１３に防火ロープ１４を設け、防火ロープ１４に磁石１５を設ける。これに加えて防火ロープ１４と、磁石１５を２組設けた。
【００１２】
【発明が解決しようとする課題】
しかし、特開平８−３３９８４号公報の溶接火花養生架台は大きさが固定したものであり、設置場所に対する自由度がいま一歩である。
【００１３】
また、特開平９−２７１９５１号公報のアーク溶接ガス切断等における磁石付き火花養生袋は、耐火性の枠１３に防火布袋１２を設けて吊り下げるだけであり大きさも固定したものであり設置場所に対する自由度がいま一歩であるとともに、これが真下にあるときのみ有効であり、飛散する溶接火花が横方向に飛ぶような場合は防火布袋１２から外れて補足できない。
【００１４】
本発明の目的は前記従来例の不都合を解消し、飛散する溶断火花や溶断ノロ等を耐熱製の袋体に受け入れることで火災や人身災害を防止できるとともに、袋体設置に際して設置の方法の自由度、設置の際の袋体の開口面積および開口角度の自由度を確保して使い勝手を向上させることができる溶断・溶接防火カバーを提供することにある。
【００１５】
【課題を解決するための手段】
本発明は前記目的を達成するため、第１に、枠部とこの枠部に設ける耐熱製の袋体からなり、全体が水平状態からくの字に折れ曲がる屈折機構を有し、袋体は開口付近を枠部がスライド自在に貫通するように枠部に取り付き、また、枠部に係止手段として吸着用の磁石と吊り材の双方または何れか一方を取り付けたこと、第２に、枠部は、枠径を拡大または縮小できる伸縮機構を有すること、第３に、袋体は、開口縁部付近を枠部よりも上に臨ませること、第４に、袋体は、内側底部を着脱自在な耐熱製布片で覆うことを要旨とするものである。
【００１６】
請求項１記載の本発明によれば、枠部とこの枠部に設ける耐熱製の袋体からなるので、軽量であり、さらに、枠部は全体が水平状態からくの字に折れ曲がる屈折機構を有するので、がま口みたいに袋体の開口角度を可変とすることができ、横方向の受け部のみならず縦方向の受け部も作り出せる。しかも、収納時には枠部を折り畳み、コンパクトとする事が出来る。
【００１７】
なお、袋体は開口付近を枠部がスライド自在に貫通するように枠部に取り付くようにしたので、枠部が枠径を拡大または縮小できるのに追随できる。また、取り付けや設置に際しては、例えば鋼材への取り付けは吊り材での吊り下げ方式と、磁石吸着方式を併用または選択できる。
【００１８】
請求項２記載の本発明によれば、前記作用に加えて、枠部は枠径を拡大または縮小できる伸縮機構を有するので、巾着みたいに袋体の開口面積を可変とすることができる。
【００１９】
請求項３記載の本発明によれば、袋体は開口縁部付近を枠部よりも上に臨ませることで、枠部を保護できるとともに、枠部と袋体との間に隙間を作ることを防止できる。なお、袋体は開口縁部を枠部が貫通するトンネル状通し孔を形成するような縫い合わせを行うことも考えられない訳ではないが、これでは枠部の変形に十分対応できない。
【００２０】
請求項４記載の本発明によれば、袋体は内側底部を着脱自在な耐熱製布片で覆うことで、穴があくなどの損傷を着脱自在な耐熱製布片のみに止め、かつ、この部分を取り替え可能なものとして、袋体全体を変えずに安価に補修ができる。
【００２１】
【発明の実施の形態】
以下、図面について本発明の実施の形態を詳細に説明する。図１は本発明の溶断・溶接防火カバーの１実施形態を示す平面図、図２は同上正面図で、口金となる枠部１６とこの枠部１６に設ける耐熱製の袋体１７からなる。
【００２２】
枠部１６は本実施形態ではステンレスパイプによる矩形枠であり、コ字形のステンレスパイプ１６ａ，１６ｂを組み合わせ、一方のコ字形のステンレスパイプ１６ａのパイプ径を他方のコ字形のステンレスパイプ１６ｂよりも細径として、摺動自在に差し入れ、この重なり部分を枠部１６における枠径を拡大または縮小できる伸縮機構１８として形成した。
【００２３】
このようにして枠部１６はコ字形のステンレスパイプ１６ａ，１６ｂの二重管の重なり部分の長さ調整で矩形の横長を設定でき、長さを変えるには重なり部分以外の辺部（コ字形の中央辺）を手で握り、引くか、押すかすればよい。
【００２４】
なお、伸縮機構１８として形成するのに、コ字形のステンレスパイプ１６ａ，１６ｂの端部相互を２重管とせずに並行に並べてスライドさせるようにすることも可能である。また、ステンレス以外の鉄や銅合金で耐熱性の防錆処理を施したものをもって構成してもよい。
【００２５】
さらに、枠部１６は透孔相互を合わせた平板同士を重ね、これを蝶ネジ１９等で締結可能な回動部を形成し、この回動部をもって全体が水平状態からくの字に折れ曲がる屈折機構２０を形成した。この屈折機構２０は本実施形態では枠部１６で前記伸縮機構１８を設けた辺以外の辺に設けるものとし、伸縮方向とは直交する方向で屈折するものとしたが、必ずしもこれに限定されるものでなく、伸縮機構１８を設けた辺に屈折機構２０を設け、伸縮方向と同方向に屈折するようにしてもよい。
【００２６】
枠部１６には吸着用として永久磁石による磁石２１を設ける。この磁石２１は枠部１６に回動自在となる板に取り付けるかケーシング内に収め、矩形である枠部１６の少なくとも３方の辺にそれぞれ設けることが望ましい。
【００２７】
図中２３は枠部１６に設けた吊り下げ用の係止片であり、これに結着する吊り材として、バンド２３または図９に示すようなチェーン２４を用い、その先端に止め金２５ａを有するフック２５を設けた。バンド２３の場合はバックル等での伸縮部を設けて長さ調整できるものとする。
【００２８】
また、バンド２３やチェーン２４の先端にフック２５の他に磁石２６を設けて、フック２５での引っかけの他に磁石２６での吸着もできるようにしてもよい。
【００２９】
耐熱製の袋体１７は、一例として図８に示すように逆三角形屋根形で、上面開口を枠部１６と同じ矩形としたもので、その展開図を図７に示す。
【００３０】
この耐熱製の袋体１７の材質としては、特開平８−１２０５４１号公報にあるような、珪酸含有レーヨン繊維を基材とし、これに無機質繊維を混合し、紡織して成る耐火クロスが好適である。
【００３１】
この耐火クロスで使用される珪酸含有レーヨン繊維は、ビスコースレーヨン法で製造されるレーヨン繊維であり、シリカ換算およびアルミナ換算で３０〜３３重量％を含水珪酸および／または含水珪酸アルミニウムで置換されて作られるものである。珪酸含有レーヨン繊維のＬＯＩ値（制限酸素濃度：燃焼を継続するのに必要な最低酸素濃度）は２８〜３３％であり、大気中（酸素濃度２０％）では燃焼を継続しない。したがって前記珪酸含有レーヨン繊維と無機質繊維を混合して紡織してなる耐火クロスは燃焼し難い。
【００３２】
また、使用される無機質繊維としては、アルミナが５０〜６５重量％、シリカが３５〜５０重量％よりなり、通常のローター法またはブローイング法で作られるセラミック繊維、高炉スラグや玄武岩を溶融して繊維化したロックウール、アルミナファイバー、シリカファイバー等が好ましい。珪酸含有レーヨン繊維の含有量は５〜３０重量％が望ましい。
【００３３】
さらに燃焼性を改善する目的で、耐火クロスに、リン酸アンモニウム等の難燃剤を添加しても良い。
【００３４】
なお、珪酸含有レーヨン繊維を基材とし、これに無機質繊維を混合し、紡織して成る耐火クロス以外でも、所定の耐火性能を発揮できる布材であれば、耐熱製の袋体１７の材質として使用可能である。
【００３５】
耐熱製の袋体１７は上端面開口部より少し下方に環体２７を適宜間隔で取り付け、この環体２７に枠部１６を挿通することで、耐熱製の袋体１７は開口付近を枠部１６がスライド自在に貫通するように枠部１６に取り付く。
【００３６】
このようにして、環体２７は上端面開口部より少し下方にあるので、耐熱製の袋体１７は開口縁部付近１７ａを枠部１６よりも上に臨ませることができる。
【００３７】
他の実施形態として、図１０に示すように環体２７を取り付ける代わりに耐熱製の袋体１７は上端面開口部より少し下方に鳩目による孔３０を形成し、この孔３０に枠部１６をスライド自在に貫通させるようにしてもよい。この場合は、耐熱製の袋体１７をつづれ折れにする。
【００３８】
また、図３に示すように耐熱製の袋体１７の底部ではその内側部分に耐熱製布片２８を着脱自在に配設し、この耐熱製布片２８で底部を覆う。耐熱製布片２８は耐熱製の袋体１７を構成する耐火クロスと同じ材質のものを使用することができ、双方にマジックテープ（登録商標）２９雄部材、マジックテープ（登録商標）２９の雌部材を設け、この雄、雌の結合で固定する。なお、固定手段としては、マジックテープ（登録商標）２９の他にホックやフック等を代用することができる。
【００３９】
次に使用法を図４〜図６について説明する。図中３１は柱鉄骨、梁鉄骨、アングル材等の鋼材、３１ａは切断しようとするピース、３２はガス溶断または溶接のノズルで、本発明の溶断防火カバーを設置するには、磁石２１の磁力で鉄骨柱・梁その他の鋼材３１等に枠部１６を吸着させて取り付ける場合と、バンド２３またはチェーン２４の吊り材で吊る場合との双方が選択でき、その両方を用いてもよい。
【００４０】
また、磁石２１で吸着固定する場合でも、バンド２３またはチェーン２４の吊り材での固定を２次的落下防止としえ補助的に用いることもできる。これらバンド２３またはチェーン２４は先端はフック２５で係止するか、磁石２６で吸着する。
【００４１】
さらに、設置に際しては、伸縮機構１８で枠部１６が枠径を拡大または縮小できるので適宜な大きさとし、さらに、屈折機構２０で図２、図４に示すように枠部１６の半分側を起立させ、水平方向に飛散する溶断火花や溶断ノロ等もここで受けて耐熱製の袋体１７内に落とし込むことができる。
【００４２】
さらに、使用が長くなると、溶断ノロ等を受けて耐熱製布片２８が穴が開くなどの損傷を生じることもあるが、その場合でもその下の耐熱製の袋体１７の底部分はさほど痛まない。そこで、この痛んだ耐熱製布片２８のみを新しものに取り替えれば耐熱製の袋体１７全体を交換せずに済む。
【００４３】
また、非使用時には屈折機構２０で枠部１６を半分に折り畳むなどしてコンパクトの状態で収納できる。
【００４４】
【発明の効果】
以上述べたように本発明の溶断・溶接防火カバーは、飛散する溶断火花や溶断ノロ等を耐熱製の袋体に受け入れることで火災や人身災害を防止できるとともに、袋体設置に際して設置の方法の自由度、設置の際の袋体の開口面積および開口角度の自由度を確保して使い勝手を向上させることができるものである。
【図面の簡単な説明】
【図１】本発明の溶断・溶接防火カバーの１実施形態を示す平面図である。
【図２】本発明の溶断・溶接防火カバーの１実施形態を示す側面図である。
【図３】本発明の溶断・溶接防火カバーの１実施形態を示す縦断側面図である。
【図４】本発明の溶断・溶接防火カバーの使用状態の第１例を示す斜視図である。
【図５】本発明の溶断・溶接防火カバーの使用状態の第２例を示す斜視図である。
【図６】本発明の溶断・溶接防火カバーの使用状態の第３例を示す斜視図である。
【図７】本発明の溶断・溶接防火カバーで使用する袋体の展開図である。
【図８】本発明の溶断・溶接防火カバーで使用する袋体の形状説明である。
【図９】本発明の溶断・溶接防火カバーで使用する吊り材としてのチェーンの側面図である。
【図１０】本発明の溶断・溶接防火カバーで使用する袋体の他の実施形態を示す要部の斜視図である。
【図１１】従来例の第１例を示す斜視図である。
【図１２】従来例の第２例の第１実施形態を示す斜視図である。
【図１３】従来例の第２例の第２実施形態を示す斜視図である。
【符号の説明】
１…溶接火花養生架台　　　　　　　　　　２…変形Ｓ字状縦桟
３，４…横桟　　　　　　　　　　　　　　５…耐熱シ−ト
６…枠板部　　　　　　　　　　　　　　　７…止め金具
８…線　　　　　　　　　　　　　　　　　９…ボルト
１０…孔　　　　　　　　　　　　　　　　１１…溶接火花受部
１２…防火布袋　　　　　　　　　　　　　１３…防火ロープ
１４…防火ロープ　　　　　　　　　　　　１５…磁石
１６…枠部
１６ａ，１６ｂ…ステンレスパイプ
１７…耐熱製の袋体　　　　　　　　　　　１７ａ…開口縁部付近
１８…伸縮機構
１９…蝶ネジ　　　　　　　　　　　　　　２０…屈折機構
２１…磁石　　　　　　　　　　　　　　　２２…
２３…バンド　　　　　　　　　　　　　　２４…チェーン
２５…フック　　　　　　　　　　　　　　２５ａ…止め金
２６…磁石　　　　　　　　　　　　　　　２７…環体
２８…耐熱製布片
２９…マジックテープ（登録商標）
３０…孔　　　　　　　　　　　　　　　　３１…鋼材
３１ａ…ピース　　　　　　　　　　　　　３２…ノズル
【図１】
2004114082.tif 000003
【図２】
2004114082.tif 000004
【図３】
2004114082.tif 000005
【図４】
2004114082.tif 000006
【図５】
2004114082.tif 000007
【図６】
2004114082.tif 000008
【図７】
2004114082.tif 000009
【図８】
2004114082.tif 000010
【図９】
2004114082.tif 000011
【図１０】
2004114082.tif 000012
【図１１】
2004114082.tif 000013
【図１２】
2004114082.tif 000014
【図１３】
2004114082.tif 000015